(57)【要約】      （修正有）【課題】季節やイベントの変化があっても、顧客への訴求効果を損なうことなく、容易に対応することができる差し込みポップおよび差し込みポップを備えた商品包装材を提供する。【解決手段】商品包装材２は、商品１の背面を覆う背面部１１と、商品１の前方を覆う前面部１２とを有し、背面部１１と前面部１２とによって帯状体を形成することにより商品１を囲繞するようになっている。さらに商品包装材２に装着可能な差し込みポップ３を備え、差し込みポップ３は、商品包装材２の前面部１２と商品１との間に挿入される挿入部３ａと、前面部１２の上方縁部１２ａより上方に露出するとともに図等が記載される第１表示部３ｃと、前面部１２の上方縁部１２ａに係合するとともに前面部１２の前方に露出する係合部３ｂとを有している。【選択図】図１
0003233925.tif 000002
【実用新案登録請求の範囲】
【請求項１】
商品を背面部と前面部とにより囲繞するように包装する商品包装材に装着される差し込みポップであって、
上記商品包装材の前面部と商品との間に挿入される挿入部と、上記前面部の上方縁部に係合するとともに上記前面部の前方に露出する係合部とを備え、当該係合部の上方を、上記前面部よりも上方に露出する図等が記載される第１表示部とすることを特徴とする差し込みポップ。
【請求項２】
上記挿入部を、図等を記載可能な第２表示部とすることを特徴とする請求項１に記載の差し込みポップ。
【請求項３】
一枚の厚紙状素材によって構成し、上記係合部を当該厚紙状素材に形成した切込みによって構成したことを特徴とする請求項１または請求項２のいずれかに記載の差し込みポップ。
【請求項４】
商品の背面を覆う背面部と、商品の前方を覆うとともに図等が付された前面部とを有し、商品を上記背面部と前面部とにより囲繞するように包装する商品包装材において、
上記前面部と商品との間に上記差し込みポップの挿入部が挿入され、上記係合部が前面部の前方に位置するようにしたことを特徴とする、請求項１ないし請求項３のいずれかに記載の差し込みポップを備えた商品包装材。
【考案の詳細な説明】
【技術分野】
【０００１】
本考案は差し込みポップおよび商品包装材に関し、詳しくは商品を背面部と前面部とにより囲繞するように包装する商品包装材に装着される差し込みポップおよび当該差し込みポップを備えた商品包装材に関する。
【背景技術】
【０００２】
従来、靴下やシャツといった衣類などの商品を包装する商品包装材として、商品の背面を覆う背面部と、商品の前方を覆う前面部とを有し、上記商品を背面部と前面部とにより囲繞するように包装する商品包装材が知られている（特許文献１）。
このような商品包装材の前面部やその他の外部に露出する部分には、顧客への訴求効果を得るために図や商品説明等が付されるが、さらなる販売促進等を目的として季節やイベントに応じた図等を記載することも行われている。例えば特許文献１では、前面部にクリスマスをイメージする図等が記載されている。
【先行技術文献】
【特許文献】
【０００３】
【特許文献１】実開平２−５４４６０号公報
【考案の概要】
【考案が解決しようとする課題】
【０００４】
しかしながら、上記商品包装材に季節やイベントに応じた図等を記載した場合、その季節やイベントが経過してしまうと訴求効果が一気に低下してしまうため、商品包装材の交換が必要となるが、商品包装材の交換には多大な手間と費用が必要であるという問題があった。
このような問題に鑑み、本考案は季節やイベントの変化があっても、顧客への訴求効果を損なうことなく容易に対応することが可能な、商品包装材に装着可能な差し込みポップを提供するものである。
【課題を解決するための手段】
【０００５】
すなわち請求項１の考案にかかる差し込みポップは、商品を背面部と前面部とにより囲繞するように包装する商品包装材に装着される差し込みポップであって、
上記前面部と商品との間に挿入可能な挿入部と、上記前面部の上方縁部に係合するとともに上記前面部の前方に露出する係合部とを備え、当該係合部の上方を、上記前面部よりも上方に露出する図等が記載される第１表示部とすることを特徴としている。
また請求項４にかかる商品包装材は、請求項１ないし請求項３のいずれかに記載の差し込みポップを備えた商品包装材であって、商品の背面を覆う背面部と、商品の前方を覆うとともに図等が付された前面部とを有し、商品を上記背面部と前面部とにより囲繞するように包装する商品包装材において、
上記前面部と商品との間に上記差し込みポップの挿入部が挿入され、上記係合部が前面部の前方に位置するようにしたことを特徴としている。
【考案の効果】
【０００６】
ここで、ポップとは「ｐｏｉｎｔ  ｏｆ  ｐｕｒｃｈａｓｅ  ａｄｖｅｒｔｉｎｇ」の略で、商品の販売促進に用いられる広告媒体であり、キャッチコピーやイラスト、図などを記載した紙等を陳列棚に貼り付けたり設置したりして使用するものであるが、本考案におけるポップとは、商品の包装材に、あとから差し込んで装着する形態の表示物である。
本考案にかかる差し込みポップに、商品包装材に記載された通年に渡って使用可能な商品名、図、商品説明等の情報とは異なる、季節やイベントに応じた図等を記載し、当該商品包装材に対して差し込みポップを取り付け・取り外しを行うことで、顧客の購買意欲を高める視覚的効果を得ることを目的としている。
具体的には、商品包装材の前面部には商品に関する商標や、季節やイベントに関係のない、一年を通して使用可能な図等を記載しておき、上記差し込みポップの第１表示部に季節やイベントに応じた図等を記載すればよい。
そして当該季節やイベントが終了した後には、それまで装着されていた差し込みポップに代えて、次の季節やイベントに応じた図等を記載した新たな差し込みポップに交換すればよい。
つまり商品包装材の全体を交換する必要がなく、上記差し込みポップを交換するだけで、顧客への訴求効果を損なうことなく、容易に新たな季節やイベントに対応することができる。
【図面の簡単な説明】
【０００７】
【図１】本実施例にかかる商品包装材への差し込みポップの使用態様を示した正面図。
【図２】商品包装材における差し込みポップの使用態様を示した断面図。
【図３】商品包装材の構造を示した図。
【図４】差し込みポップの一例を示す図。
【考案を実施するための形態】
【０００８】
以下図示実施例について説明すると、図１、図２は靴下やシャツといった衣類等の商品１を包装する商品包装材２と、当該商品包装材２に交換可能に装着される差し込みポップ３とを示した図となっており、上記商品１は上記商品包装材２に包装された状態で、フック等に吊り下げられて陳列されるようになっている。
上記商品１としては靴下やシャツといった衣類のほかに、タオルなどの布製の製品も考えられるが、以下に述べる態様で包装することができれば、商品１の形状や素材に関して限定されることはない。
そして上記商品１は、商品包装材２に包装可能な大きさとなるまで必要に応じて折り畳まれており、また商品包装材２に包装される際には、図２に示すようにその上部が折り畳まれ、折り畳み部１ａが下方から支持されるようになっている。
【０００９】
上記商品包装材２は、一枚の厚紙を所要の形状に切断して、これを図３に示すように折り畳むことで作成するようになっており、商品１の背面を覆う背面部１１と、商品１の前方を覆う前面部１２と、上記背面部１１と前面部１２との間に設けられた中間部１３とによって構成されている。
上記構成を有する商品包装材２によれば、上記背面部１１と前面部１２とを連結することで商品１を帯状に囲繞し、上記中間部１３によって折り畳まれた商品１の折り畳み部１ａを下方から支持するようになっている。
そして本実施例では、上記背面部１１の上端部は中間部１３および前面部１２よりも上方に突出するように設けられ、上記中間部１３の上端部は前面部１２よりも上方に突出するように設けられている。
【００１０】
図３を用いて上記商品包装材２についてより詳細に説明すると、上記背面部１１は、上端で後方に折り返された背面部後方折り返し１１ａと、前方に折り返された背面部前方折り返し１１ｂとによって構成されている。
また背面部１１の上端部中央には貫通孔１１ｃが設けられており、当該貫通孔１１ｃには図示しないフックが装着されるか、もしくは陳列棚に設けられたフックを貫通させて陳列するようになっている。
さらに、背面部前方折り返し１１ｂおよび背面部後方折り返し１１ａには、それぞれ上記中間部１３および前面部１２に設けられた第１、第２係合部１２ｂ、１３ｃが挿入される第１、第２スリット１１ｄ、１１ｅが形成されている。
【００１１】
上記前面部１２は、その一端が上記背面部１１の背面部後方折り返し１１ａに連結され、前面部１２の上端部に形成された上方縁部１２ａは上述した様に上記中間部１３の上端部よりも下方に位置している。
また前面部１２には、その上端部から中間部１３側にむけて折り返されたギザギザ状のストッパ部１２ｂが形成されており、当該ストッパ部１２ｂによって商品１のずり上がりを防止するようになっている。
そして前面部１２における上記背面部１１との連結部の反対側には第１係合部１２ｂが設けられており、当該第１係合部１２ｂを上記背面部後方折り返し１１ａに形成された第１スリット１１ｄに挿入することで、前面部１２と背面部１１とを帯状に連結することができる。
【００１２】
上記中間部１３は、その一端が上記背面部１１の背面部前方折り返し１１ｂに連結された中間部後方折り返し１３ａと、当該中間部後方折り返し１３ａに対して前方に折り返された中間部前方折り返し１３ｂとによって構成されている。
上述した様に、中間部１３の上端部は前面部１２の上方縁部１２ａよりも上方に位置しており、このため中間部１３によって商品１の折り畳み部１ａを下方から支持すると、当該商品１の一部が前面部１２の上方縁部１２ａの上方に露出するようになっている。
また、上記中間部後方折り返し１３ａの下端部は上記背面部前方折り返し１１ｂの下端部と同じ高さに設けられ、これに対し中間部前方折り返し１３ｂの下端部は中間部後方折り返し１３ａの下端部よりも下方に位置し、さらにギザギザ形状が形成されている。
もっとも、中間部前方折り返し１３ｂの下端部の位置およびギザギザ形状は、商品包装材２を展開して一枚の厚紙から採取する際に、上記前面部１２のストッパ部１２ｂと同時に形成されるものであり、当該ギザギザ形状については必ずしも必要ない。
そして中間部後方折り返し１３ａにおける上記背面部１１との連結部の反対側には第２係合部１３ｃが設けられており、当該第２係合部１３ｃを上記背面部前方折り返し１１ｂに形成された第２スリット１１ｅに挿入することで、中間部１３を背面部１１に連結することができる。
【００１３】
上記構成を有する商品包装材２によれば、商品１を以下のようにして包装することができる。
まず、一枚の厚紙を所要の形状に切り抜くとともに、これを所要の位置で折り曲げて、図３に示すような背面部１１、前面部１２、中間部１３を形成する。
続いて、予め所要の大きさに畳んだ商品１の上端部分をさらに前方に折り曲げ、これにより形成された折り畳み部１ａに上記中間部１３を挿入し、中間部１３によって商品１を支持する。
そして上記中間部１３の第２係合部１３ｃを上記背面部１１の背面部前方折り返し１１ｂの第２スリット１１ｅに挿入することで、中間部１３を背面部１１に連結する。
【００１４】
次に、上記前面部１２を商品１の前方から覆うように被せて、さらに当該前面部１２に設けた第１係合部１２ｂを背面部１１の背面部後方折り返し１１ａの第１スリット１１ｄに挿入し、前面部１２が背面部１１に連結される。
その結果、商品１は背面部１１と前面部１２とによって帯状に囲繞されることとなり、このようにして商品１が上記商品包装材２によって包装されることとなる。
このとき、商品１は中間部１３によって折り畳み部１ａが下方から支持されるため、商品１のずり落ちが防止され、また前面部１２に設けたストッパ部１２ｂによって、商品１の上方へのずれも防止されるようになっている。
また商品１を包装した状態の商品包装材２を前方より観察すると、上記前面部１２の上方および下方に商品１が露出するようになっており、また商品１のさらに上方には背面部１１が露出するようになっている。
特に、上記中間部１３を前面部１２の上端よりも上方に設けたことで、上記前面部１２の上方に商品１を露出させることができ、顧客は当該露出した部分によって商品１の模様等を確認することが可能となっている。
そして、上記前面部１２や背面部１１において外部に露出する部分には、商品１に関する商標や図、その他商品説明等を記載することができ、顧客への訴求効果が得られる部分となる。
【００１５】
ここで、上記商品包装材２における外部に露出した部分は、上述した様に商標や図、その他商品説明等を記載して顧客への訴求効果を得る部分であるが、このような露出する部分に販売する季節やイベントに関連した図等を記載することで、より高い訴求効果が期待できる。
しかしながら、上記季節やイベントが徒過してしまった場合には、上記デザインの商品包装材２を付した商品１はいわゆる季節外れの商品となり、顧客への訴求効果が一気に低下する。
そこで、本実施例の商品包装材２における外部に露出した部分には、季節やイベントには関係のない、通年に渡って使用可能な図等を記載しておき、季節やイベントに関連する図等を上記差し込みポップ３に記載して、これを商品包装材２に装着するものとなっている。
【００１６】
上記差し込みポップ３は、図４に示すように一枚の厚紙によって構成されたものとなっている。なお差し込みポップ３に使用する素材としては、上記厚紙に限らず薄い樹脂などからなる厚紙状素材を用いることができる。
差し込みポップ３は、上記商品包装材２の前面部１２と商品１との間に挿入される挿入部３ａと、上記前面部１２の上方縁部１２ａに係合するとともに上記前面部の前方に露出する係合部３ｂとを備えている。
図４において、二点鎖線は差し込みポップ３を商品包装材２に装着した際における、上記前面部１２の上方縁部１２ａの位置を示しており、上記上方縁部１２ａの上方には図等が記載された第１表示部３ｃが露出するようになっている。
【００１７】
本実施例において、上記挿入部３ａは図等を記載可能な第２表示部を構成しており、差し込みポップ３の上記挿入部３ａおよび第１表示部３ｃには、季節やイベントに応じたイラストや商品説明などの図等を記載することができる。
図４では一例として、ハロウィーン（ａ）およびクリスマス（ｂ）に対応する図等を記載したものとなっている。なお、内容については限定されることはなく、また季節やイベントに関係のない任意の図等を記載してもよいことは勿論である。
上記第１表示部３ｃは、商品包装材２の前面部１２の上方に位置して外部に露出することから、商品包装材２に包装された商品１を陳列した場合に、上記前面部１２に記載された図等とともに顧客に視認されるようになっている。
そして第１表示部３ｃには季節やイベントに応じた図等が記載されているため、顧客に対する訴求効果が期待でき、また前面部１２の上方に位置するため当該前面部１２に記載された内容を損なうことも無い。
一方上記挿入部３ａは、上記前面部１２と商品１との間に挿入されるため、第２表示部としては、商品包装材２に包装された商品１を陳列した状態では顧客から視認されることはないが、顧客が商品包装材２を開封する際に差し込みポップ３を取り除くことで、当該挿入部３ａに記載されていた図等が視認可能となる。
この挿入部３ａには、季節に応じた文言やイラストを記載できるほか、自筆のメッセージを記入できるようにしておくことも可能であり、贈当時等に顧客に感動を与えることが期待できる。
【００１８】
上記係合部３ｂは、図４に示す太線部で示す、上記厚紙状素材に形成した切込みによって構成することができ、上記係合部３ｂを前面部１２の外側に配置することで、上記前面部１２の上方縁部１２ａに係合させ、差し込みポップ３の下方へのずり落ちを防止するようになっている。そして交換時には、差し込みポップを上方に引き上げることにより上記係合部３ｂを上方縁部１２ａより離脱させ、その後交換用の差し込みポップ３を容易に装着することができる。
また、係合部３ｂは前面部１２の前方に位置して外部に露出することから、上記係合部３ｂに上記第１表示部３ｃの図等に連続する図を記載することで、単なるずり落ち防止のためでなく、顧客への訴求効果を向上させる効果も得られる。
上記係合部３ｂの大きさや配置は、第１表示部３ｃのデザインに応じて任意であるが、差し込みポップ３を商品包装材２に装着した際の脱落し難さを考慮して、中心に対して左右両側に設けることが望ましい。
また係合部３ｂについては、上述したような切込みとせず、差し込みポップ３にクリップ等の部材を装着してこれを係合部３ｂとしてもよい。
【００１９】
以上のように、本実施例では上記差し込みポップ３を商品包装材２から取り外すことが可能であるため、例えば図４（ａ）に示したハロウィーンに対応する差し込みポップ３を使用した後、これを図４（ｂ）に示したクリスマスに対応する差し込みポップ３に容易に交換することができる。
従来、例えば特許文献１のように商品包装材の全体を所定の季節に対応させたデザインとした場合、当該季節が経過してしまうと、季節外れとなって顧客への訴求効果が低下するため、次の季節に対応するデザインの商品包装材に交換する必要があった。
本実施例では、上記差し込みポップ３だけを交換すればよく、商品包装材２についてはそのまま使用することができることから、季節が変化しても顧客への高い訴求効果を維持しつつ、交換のための新たな商品包装材２の費用や、交換にかかる手間を低減することができる。
【００２０】
なお、商品包装材２については、背面部１１と前面部１２とを備えていれば、上記中間部１３の省略された単なる帯状を有したものであってもよく、背面部１１および前面部１２の上端部が同一の高さのものであってもよい。
この場合も、前面部１２と商品１との間に上記実施例にかかる差し込みポップ３を挿入するとともに、上記係合部３ｂを前面部１２の上方縁部１２ａに係合させれば、上記第１表示部３ｃを外部に露出させることができる。
また上記前面部１２としては、当該前面部１２によって商品１の前面全体を覆うように構成されたものであってもよい。この場合、例えば前面部１２に略水平方向に長孔状のスリットを形成し、当該スリットにおける下方側の縁部を上記実施例における上方縁部１２ａとして、上記差し込みポップ３の係合部３ｂを係合させ、第１表示部３ｃが外部に露出するようにすればよい。
逆に、前面部１２の幅が狭い場合には、差し込みポップ３の挿入部３ａの下端部を後方に折り返して、前面部１２の下方に挿入部３ａが露出しないようにすることもできる。
【符号の説明】
【００２１】
１  商品                            ２  商品包装材
３  差し込みポップ                  ３ａ  挿入部
３ｂ  係合部                        ３ｃ  第１表示部
１１  背面部                        １２  前面部
１３  中間部
【図１】
0003233925.tif 000003
【図２】
0003233925.tif 000004
【図３】
0003233925.tif 000005
【図４】
0003233925.tif 000006